(57)【要約】      （修正有）【課題】可搬型コンソールを用いない放射線画像撮影システムにおいて、通信ネットワークから切り離された環境下であっても、放射線の照射条件を効率良く設定できるようにする。【解決手段】放射線画像撮影システムが備える放射線画像撮影装置２は、放射線を受けることで放射線の線量に応じた量の電荷を発生させる複数の放射線検知素子が二次元状に配列された基板を有する放射線検出部２２と、前記複数の放射線検知素子がそれぞれ発生させた電荷量を信号値として読み出し、各信号値に基づいて画像データを生成する読み出し部２３と、被写体の撮影方法に関する撮影オーダー情報及び撮影条件を決定するための基準撮影条件を記憶する記憶部２５と、外部端末へオーダー情報を送信可能に構成されるとともに、前記外部端末へ前記基準撮影条件を送信することが可能な通信部２４と、を備える。【選択図】図２
2019017627.tif 000002
【特許請求の範囲】
【請求項１】
放射線を受けることで放射線の線量に応じた量の電荷を発生させる複数の放射線検知素子が二次元状に配列された基板を有する放射線検出部と、
前記複数の放射線検知素子がそれぞれ発生させた電荷量を信号値として読み出し、各信号値に基づいて画像データを生成する読み出し部と、
被写体の撮影方法に関する撮影オーダー情報及び撮影条件を決定するための基準撮影条件を記憶する記憶部と、
外部端末へオーダー情報を送信可能に構成されるとともに、前記外部端末へ前記基準撮影条件を送信することが可能な通信手段と、を備えることを特徴とする放射線画像撮影装置。
【請求項２】
前記通信手段は、前記外部端末から放射線の照射結果を受信することが可能であり、
前記記憶部は、前記通信手段が受信した照射結果を前記基準撮影条件として記憶することが可能であることを特徴とする請求項１に記載の放射線画像撮影装置。
【請求項３】
請求項１又は２に記載の放射線画像撮影装置と、
前記放射線画像撮影装置へ放射線を照射する放射線照射装置と、
表示部を有するとともに、前記放射線画像撮影装置と通信可能に接続された携帯端末と、を備えることを特徴とする放射線画像撮影システム。
【請求項４】
前記放射線画像撮影装置は、放射線の照射を検知したことを前記携帯端末に通知する通知手段を備え、
前記携帯端末は、
前記通知手段による通知を契機として、光学画像を撮影する光学画像撮影手段を備え、
前記光学画像撮影手段が撮影した光学画像に基づく内容を前記表示部に表示することを特徴とする請求項３に記載の放射線画像撮影システム。
【請求項５】
前記光学画像撮影手段は、前記放射線照射装置が有する撮影条件を設定するための操作部の光学画像を撮影するよう構成されており、
前記携帯端末は、
前記光学画像撮影手段が撮影した光学画像に基づいて、放射線照射装置に設定された撮影条件を認識する条件認識手段を備え、
前記条件認識手段が認識した撮影条件を前記表示部に表示することを特徴とする請求項４に記載の放射線画像撮影システム。
【請求項６】
前記携帯端末は、前記放射線画像撮影装置からの通知を受けたことを契機として、前記放射線照射装置が有する撮影条件を設定するための操作部の光学画像を撮影する光学画像撮影手段と、
前記光学画像を前記放射線画像撮影装置へ送信する端末側通信手段と、を備え、
前記放射線画像撮影装置は、
放射線の照射を検知したことに基づいて前記通知を前記携帯端末に送信する通知手段と、
前記携帯端末から受信した前記光学画像から放射線照射装置の撮影条件を認識する条件認識手段と、
前記条件認識手段が認識した認識撮影条件を前記携帯端末へ送信する装置側通信手段と、を更に備え、
前記携帯端末は、前記放射線画像撮影装置から受信した前記認識撮影条件を前記表示部に表示することを特徴とする請求項３に記載の放射線画像撮影システム。
【請求項７】
放射線を受けることで画像データを生成することが可能な放射線画像撮影装置と、前記放射線画像撮影装置へ放射線を照射する放射線照射装置と、放射線画像撮影装置と通信可能な外部端末と、を用いた放射線画像撮影方法であって、
前記放射線画像撮影装置に記憶された撮影条件を前記携帯端末へ入力し、
前記携帯端末に入力された前記撮影条件に基づいて、前記撮影条件と同一又は当該撮影条件から変更された撮影条件を前記放射線照射装置へ入力し、
入力された撮影条件で前記放射線照射装置に放射線を照射させることにより放射線画像の撮影を行い、
撮影後に前記放射線照射装置へ入力されていた撮影条件を放射線画像撮影装置へ入力して、それまで前記放射線画像撮影装置が記憶していた撮影条件を、入力した撮影条件へ更新することを特徴とする放射線画像撮影方法。
【発明の詳細な説明】
【技術分野】
【０００１】
本発明は、放射線画像撮影装置、この装置を備える放射線画像撮影システム及びこの装置を用いた放射線画像撮影方法に関する。
【背景技術】
【０００２】
近年、可搬型の放射線画像撮影システムが開発されている。この可搬型の放射線画像撮影システムは、パネル状の放射線画像撮影装置（ＦＰＤ（Flat Panel Detector）とも称される）や、放射線照射装置が積載された回診車、ノート型ＰＣ等で構成された可搬型コンソール等で構成されるのが一般的である。このシステムを用いれば、ユーザー（放射線技師等）が撮影現場へ当該システムを持って出向き、その場で撮影・画像確認などの一連の操作を行うことができる。このため、移動することが困難な患者の放射線画像撮影を容易に行うことが可能となる。
【０００３】
しかし、可搬型の放射線画像撮影システムは高価であるため、撮影数が少ない小病院等では、それが導入の障壁となっている。そこで、専用の可搬型コンソールを用いないようにすることで、システムの製造コストを下げる試みがなされている。
例えば、パネル型の放射線画像撮影装置に、撮影した放射線画像を表示する表示部を備え、コンソール経由で取得した撮影条件（ｋＶ，ｍＡｓ等）を表示部に表示する技術が提案されている（特許文献１参照）。
【先行技術文献】
【特許文献】
【０００４】
【特許文献１】特開２０１０−０５１５２３号公報
【発明の概要】
【発明が解決しようとする課題】
【０００５】
放射線画像を撮影する際には、放射線の照射条件を被写体に応じて適切に設定する必要があるが、特許文献１に記載された放射線画像撮影システムは、病院内ネットワークから切り離された環境では適切な放射線照射条件を参照することができない。
また、特許文献１の放射線画像撮影装置は、表示部を一体のものとしているため、例えば横たわる患者の下に敷いた場合等に、ユーザーが患者から離れた位置から撮影条件等の確認を行うことが困難になるおそれがある。
【０００６】
本発明は、上記問題点に鑑みてなされたもので、可搬型コンソールを用いない放射線画像撮影システムにおいて、通信ネットワークから切り離された環境下であっても、放射線の照射条件を効率良く設定できるようにすることを目的とする。
【課題を解決するための手段】
【０００７】
上記課題を解決するため、本発明に係る放射線画像撮影装置は、
放射線を受けることで放射線の線量に応じた量の電荷を発生させる複数の放射線検知素子が二次元状に配列された基板を有する放射線検出部と、
前記複数の放射線検知素子がそれぞれ発生させた電荷量を信号値として読み出し、各信号値に基づいて画像データを生成する読み出し部と、
被写体の撮影方法に関する撮影オーダー情報及び撮影条件を決定するための基準撮影条件を記憶する記憶部と、
外部端末へオーダー情報を送信可能に構成されるとともに、前記外部端末へ前記基準撮影条件を送信することが可能な通信手段と、を備えることを特徴とする。
【発明の効果】
【０００８】
本発明によれば、通信ネットワークから切り離された環境下であっても、放射線の照射条件を効率良く設定することができる。
【図面の簡単な説明】
【０００９】
【図１】本発明の実施形態に係る放射線画像撮影システムの概略構成図である。
【図２】図１の放射線画像撮影システムを構成する放射線画像撮影装置の構成を表すブロック図である。
【図３】図１の放射線画像撮影システムを構成する携帯端末の構成を表すブロック図である。
【図４】図３の携帯端末が有する表示部に表示される表示画面の一例である。
【図５】図１の放射線画像撮影システムの動作を表すラダーチャートである。
【図６】同実施形態の変形例に係る放射線画像撮影システムの動作を表すラダーチャートである。
【発明を実施するための形態】
【００１０】
以下、図を参照して本発明の実施の形態について詳細に説明する。ただし、発明の範囲は、図示例に限定されるものではない。
【００１１】
〔放射線画像撮影システムの構成〕
まず、本実施形態に係る放射線画像撮影システム１００の構成について説明する。図１は、本実施形態の放射線画像撮影システム１００の概略構成図である。
本実施形態の放射線画像撮影システム１００は、図１に示したように、放射線照射装置１や、放射線画像撮影装置２、携帯端末３等で構成されている。
また、放射線画像撮影システム１００には、必要に応じて、コンソール４や、放射線科情報システム（Radiology Information System：ＲＩＳ）、画像保存通信システム（Picture Archiving and Communication System：ＰＡＣＳ）等に接続される。
【００１２】
放射線照射装置１は、ジェネレーター１１、放射線源１２、操作卓１３等を備えている。
ジェネレーター１１は、コンソール４によって設定された管電圧や管電流、照射時間（ｍＡｓ値）等に応じた電圧を放射線源１２に印加するようになっている。
放射線源１２は、放射線を生成可能な図示しない回転陽極や回転陽極に電子ビームを照射するフィラメント等を有しており、ジェネレーター１１から印加された電圧に応じた線量の放射線Ｘを発生させる。
【００１３】
操作卓１３は、ユーザー（放射線技師等）が操作可能な図示しない操作部や曝射スイッチを備えている。
そして、操作卓１３は、ユーザーにより曝射スイッチが操作されたことに基づいて、ジェネレーター１１に対し放射線の照射開始（電圧の印加）等を指示するようになっている。
また、操作卓１３は、ユーザーにより操作部が操作されたことに基づいて、放射線の照射条件を設定することが可能になっている。なお、設定した照射条件は、携帯端末３等に送信するようにしてもよい。また、放射線画像撮影装置２や携帯端末３から放射線の照射条件を受信したことに基づいて設定するようにしてもよい。
放射線照射装置１は、回診車に組み込まれて、移動可能に構成されることもある。
【００１４】
放射線画像撮影装置２は、放射線照射装置１から放射線の照射を受けると、画像データを読み出すように構成されている。そして、読み出した画像データを携帯端末３やコンソール４へ送信するようになっている。
放射線画像撮影装置２は、撮影台と一体化された専用機型のものでも、可搬型（カセッテ型）のものであっても差し支えないが、放射線照射装置１を移動可能に構成する場合には、可搬型とすることが好ましい。
なお、放射線画像撮影装置２の詳細については後述する。
【００１５】
携帯端末３は、従来の可搬型コンソールに代わって放射線画像撮影装置２で撮影した放射線画像を確認するためのものであり、本発明における外部端末をなす。携帯端末３の構成は、特に限定されるものでは無いが、持ち運びができる市販のスマートフォンやタブレット端末等の携帯端末で構成するのが好ましい。
携帯端末３は、通信ネットワークを介すことなく一又は複数の放射線画像撮影装置２と通信可能に接続可能となっており、放射線画像撮影装置２から送信されてきた画像データに基づく表示用画像を表示可能となっている。
なお、この携帯端末３の詳細については後述する。
【００１６】
コンソール４は、可搬型のコンソールとは異なる据え置き型のものであり、例えば、放射線画像撮影装置２が専用の装置（クレードル）にセットされた場合等、コンソール４が放射線画像撮影装置２と物理的に接続された場合に、放射線画像撮影装置２と通信可能になる。なお、通信ネットワークが存在する環境下では、通信ネットワークを介して放射線照射装置１や放射線画像撮影装置２と通信可能としてもよい。
また、コンソール４は、外部装置（ＲＩＳ等）からの撮影オーダー情報（撮影対象の患者情報、撮影部位、撮影方向等）に基づいて、基準撮影条件を設定することが可能となっている。
【００１７】
基準撮影条件は、放射線照射装置１による放射線の照射条件（管電圧や管電流、照射時間、電流時間積等）や、付加フィルターの有無や種類、線源検出器間距離、グリッド要否、自動露光制御の有無等のことであり、対応する撮影オーダー情報に過去の撮影履歴が紐づけられているか否かに応じて、異なる内容が設定されるようになっている。
具体的には、過去の撮影履歴が紐づけられていない（撮影対象の患者にとって初めての撮影である）場合には、標準撮影条件が基準撮影条件として設定される。標準撮影条件とは、撮影部位や被写体の体格（太め、標準、細め、小児、幼児、等）毎に予め決めておいた一般的な照射条件であり、テーブル等の形でコンソール４内に格納されている。
一方、過去の撮影履歴がある（２回目以降の撮影である）場合には、同一患者の過去の撮影で用いた少なくとも一つの過去撮影条件が基準撮影条件として設定される。
【００１８】
〔放射線画像撮影装置の構成〕
次に、上記放射線画像撮影システム１００を構成する放射線画像撮影装置２の詳細について説明する。図２は、放射線画像撮影装置２のブロック図である。
放射線画像撮影装置２は、図２に示したように、制御部２１や、放射線検出部２２、読み出し部２３、通信部２４、記憶部２５等を備えて構成されており、各部２１〜２５はバス２６によって接続されている。また、図示しない内蔵電源から各部２１〜２５へ電力が供給されるようになっている。
【００１９】
制御部２１は、ＣＰＵ、ＲＡＭ等で放射線画像撮影装置２の各部の動作を統括的に制御するように構成されている。具体的には、電源スイッチが入れられたことや、放射線照射装置１やコンソール４から所定の制御信号を受信したこと、放射線照射装置１から放射線を受けたこと等に基づいて、記憶部２５に記憶されている各種処理プログラムを読み出してＲＡＭに展開し、当該処理プログラムに従って各種処理を実行する。
【００２０】
放射線検出部２２は、放射線を受けることで放射線の線量に応じた量の電荷を発生させる複数の放射線検知素子が二次元状に配列された基板を有するものであればよく、従来公知のものを用いることができる。
すなわち、放射線画像撮影装置２は、シンチレーターを備え、シンチレーターが放射線を受けることで発した光を検知するいわゆる間接型のものであってもよいし、シンチレーター等を介さずに放射線を直接検知するいわゆる直接型のものであってもよい。
また、放射線画像撮影装置２は、放射線照射装置１からの信号に基づいて電荷の蓄積を開始する連携方式のものであってもよいし、放射線照射装置１からの信号なしに自ら放射線の照射を検知して電荷の蓄積を開始する非連携方式のものであっても良いが、本発明は、非連携方式の場合に特に有用である。
【００２１】
読み出し部２３は、複数の放射線検知素子がそれぞれ発生させた電荷量を信号値として読み出し、各信号値に基づいて画像データを生成することが可能に構成されていればよく、従来公知のものを用いることができる。
【００２２】
通信部２４は、Ethernet（有線）、Wi-fi、Bluetooth（登録商標）（以上無線）等の通信インターフェース等を備え、例えば、近距離無線通信等を用いて、ＬＡＮ（Local Area Network）、ＷＡＮ（Wide Area Network）、インターネット等の通信ネットワークから切り離された環境下であっても、外部機器との通信が可能となっている。
なお、通信ネットワークが整備された環境下では、当該通信ネットワークを介して接続された外部機器との間でデータの送受信を行えるようにしてもよい。また、外部機器と有線で接続できるようにしてもよい。また、コンソールとの通信用にＮＦＣ等の通信手段を別途設けてもよい。
【００２３】
記憶部２５は、ＨＤＤ（Hard Disk Drive）や半導体メモリー等により構成され、各種画像処理プログラムを含む各種処理プログラム、当該プログラムの実行に必要なパラメーターやファイル等を記憶している。
また、記憶部２５は、生成した画像データを管理するためのデータベースを有している。各画像データには、例えば、患者名、検査種類、日付等の所定の付帯情報が付帯され、各画像データの識別を行うことが可能となっている。
なお、撮影時のコメント等を画像データと紐付けて記憶することが可能に構成してもよい。
【００２４】
このように構成された放射線画像撮影装置２の制御部２１は、記憶部２５に記憶されている処理プログラムに従って以下のような動作をする。
例えば、制御部２１は、外部（携帯端末３）からの要求に応じて、通信部２４を用いて、撮影オーダー情報や基準撮影条件（予め保持しているもの又は外部から受信したもの）の少なくとも一方を外部に送信させることが可能となっている。
また、制御部２１は、通信部２４を用いて、生成した画像データを外部へ送信させることが可能となっている。なお、画像データの送信は、画像データが生成され次第自動で行うようにしてもよいし、外部からの送信の要求に基づいて行うようにしてもよい。
また、制御部２１は、通信部２４を用いて、放射線の照射結果（実際に撮影を行ったときの撮影条件）を受信させることが可能となっている。
すなわち、制御部２１や通信部２４は、本発明における通信手段をなす。
【００２５】
また、制御部２１は、外部装置（ＲＩＳやコンソール）と接続された（専用の装置（クレードル等）にセットされた）場合に、通信部２４を用いて、外部装置から撮影オーダー情報を受信することが可能となっている。
また、制御部２１は、外部装置と接続された場合に、通信部２４を用いて、画像データを外部装置に送信することが可能となっている。
また、制御部２１は、通信部２４を用いて、放射線検出部２２が放射線の照射を検知したことを外部（携帯端末３）に通知することが可能となっている。すなわち、制御部２１や通信部２４は、本発明における通知手段をなす。
【００２６】
なお、制御部２１に、読み出し部２３が生成した画像データに対して所定の画像処理を実行し、少なくとも１種類の処理済画像データを生成する機能を持たせるようにしてもよい。
ここで実行される画像処理には、医師が診断に用いる診断用画像を生成するための処理であり、散乱線低減処理、ノイズ低減処理、周波数処理、階調処理、空間変換処理（回転／反転）、解像度変換処理（プレビュー用の間引き画像作成のための処理）等がある。なお、１の画像データに対して複数種類の画像処理を施す場合には、施した画像処理毎に処理済画像データ（例えばノイズ低減処理済画像データや、周波数処理済画像データ等）をそれぞれ生成する。また、処理済画像データに対して更に画像処理を施すようにしてもよい。
このようにすれば、簡易な処理を適用したプレビュー画像と画像確認に必要な処理を適用した診断画像を携帯端末３に表示させることが可能となる。
【００２７】
また、処理済画像データを記憶させる際には、制御部２１に、処理を適用したパラメーターを併せて記憶させる機能を持たせるようにしてもよい。こうすることで、同じ画像データに対して再度画像処理を行う必要が生じたときに、迅速に処理を行うことができる。
また、処理済画像データのうち、処理コストが小さいものについては、記憶部２５に記憶せずに、処理に用いるパラメーターだけ記憶しておくようにしてもよい。これは、処理コストが大きいものと比べたときに、その都度画像処理を行ってもそれほど手間にならない場合があるためであり、このようにすれば、放射線画像撮影装置２の記憶部２５の容量を節約することができる。
【００２８】
また、制御部２１に、通信部２４を用いて、撮影した各種画像処理プログラムを外部（携帯端末３）へ送信させる機能をもたせるようにしてもよい。こうすることで、外部での画像処理が可能となる。
また、画像処理プログラムを外部へ送信する機能を持たせる場合、制御部２１に、放射線画像撮影装置２と携帯端末３の処理性能を比較する機能を持たせるとともに、比較結果に基づいて、画像処理を放射線画像撮影装置２と携帯端末３のどちらで実行するかを判定する機能を持たせるようにしてもよい。
【００２９】
〔携帯端末の構成〕
次に、上記放射線画像撮影システム１００を構成する携帯端末３の詳細について説明する。図３は携帯端末３の構成を表すブロック図であり、図４は携帯端末が表示する画面の一例である。
携帯端末３は、図３に示したように、制御部３１や、通信部３２、記憶部３３、表示部３４、操作部３５等を備えて構成されており、各部３１〜３５はバス３６により接続されている。また、図示しない内蔵電源から各部３１〜３５へ電力が供給されるようになっている。
【００３０】
制御部３１は、ＣＰＵ、ＲＡＭ等で携帯端末３の各部の動作を統括的に制御するように構成されている。具体的には、操作部３５から操作信号が入力されたことや放射線画像撮影装置２から各種信号やデータを受信したことに基づいて、記憶部３３に記憶されている各種処理プログラムを読み出してＲＡＭに展開し、当該処理プログラムに従って各種処理を実行したり、表示部３４の表示内容を制御したりする。
【００３１】
通信部３２は、ＮＦＣ等の通信インターフェース等を備え、例えば、近距離無線通信等を用いて、通信ネットワークから切り離された環境下であっても、外部機器との通信が可能となっている。
なお、通信ネットワークが整備された環境下では、当該通信ネットワークを介して接続された外部機器との間でデータの送受信を行えるようにしてもよい。また、外部機器と有線で接続できるようにしてもよい。
【００３２】
記憶部３３は、ＨＤＤ（Hard Disk Drive）や半導体メモリー等により構成され、各種処理プログラム、当該プログラムの実行に必要なパラメーターやファイル等を記憶している。
また、記憶部２５は、放射線画像撮影装置２から送信されてきた撮影オーダー情報や放射線画像の各種画像データを記憶することが可能となっている。
【００３３】
表示部３４は、ＬＣＤ等のモニターを備えて構成されており、制御部３１から入力される表示信号の指示に従って各種画面を表示する。
【００３４】
操作部３５は、各種キーを備えたキーボードやマウス等のポインティングデバイス、あるいは表示部３４に積層されたタッチパネルを備えて構成され、キーボードに対するキー操作やマウス操作、あるいはタッチパネルに対するタッチ操作の位置に応じて入力された操作信号を制御部３１に出力する。
【００３５】
このように構成された携帯端末３の制御部３１は、記憶部３３に記憶されている処理プログラムに従って以下のような動作をする。
例えば、制御部３１は、表示部３４に、例えば図４（ａ）に示したような、中央部に表示用画像Ｉの表示領域Ｒを有するメイン画面Ｍを表示させることが可能となっている。
また、制御部３１は、図４（ｂ）に示したように、通信部３２が受信した撮影オーダー情報や基準撮影条件、照射結果等を表示部３４（メイン画面Ｍ）に表示させることが可能となっている。
なお、複数の過去撮影条件を記憶している場合には、表示部３４に過去撮影条件のリストを表示し、操作部３５の操作に基づいて設定する過去撮影条件を切り替えできるようにしてもよい。
また、制御部３１は、通信部３２が受信した画像データに基づく各種表示用画像Ｉを表示部３４（メイン画面Ｍ）に表示させることが可能となっている。
【００３６】
また、制御部３１は、操作部３５の操作に基づいて、基準撮影条件として設定されている各種数値を変更し、実際の撮影条件（撮影後、照射結果となる条件）とすることが可能となっている。
そして、制御部３１は、操作部３５の操作等に基づいて、通信部３２を用いて、基準撮影条件又は基準撮影条件から変更された撮影条件を放射線画像撮影装置２へ送信させることが可能となっている。
【００３７】
また、リスト画面や、メイン画面Ｍ、及びそこに表示される表示用画像Ｉは、携帯端末３に別途インストールするコンソールアプリケーションによって表示されるものとしてもよいが、携帯端末３が元々有するブラウザで表示されるウェブコンテンツとするのが好ましい。ブラウザを用いると、外部装置（放射線画像撮影装置２）からウェブページを受信して表示するため、携帯端末３に対し、アプリケーション等の明示的なインストールが不要となる。その結果、携帯端末３の故障・バッテリー切れ等が発生しても、他の一般的な携帯端末で代用することが可能となる。更に、コンソール４や放射線画像撮影装置２のプログラム等の更新に伴う携帯端末３のアプリケーション更新といったメンテナンスも不要となる。
【００３８】
ブラウザで表示用画像Ｉを表示する場合、放射線画像撮影装置２をウェブサーバーとして機能させる必要があるので、放射線画像撮影装置２の記憶部２５には、ウェブサーバープログラムや、ウェブアプリケーションプログラム等を記憶させることになる。
また、ブラウザで表示用画像Ｉを表示する場合には、放射線画像撮影装置２が、携帯端末３からの要求に応じて、画像データから表示用画像Ｉのウェブコンテンツを生成し、それを携帯端末３に送信することとなる。この場合、制御部２１は、本発明におけるコンテンツ生成手段をなす。
【００３９】
また、放射線画像撮影装置２から処理プログラムを受信するように構成する場合には、処理プログラムに、放射線画像撮影装置２から受信した画像データにゲイン補正、オフセット補正、あるいは欠陥補正等の画像補正を行う機能を持たせる処理を含めるようにしてもよい。このようにすれば、放射線画像撮影装置２毎に生じる画像データの個体差を補正することができる。これらの画像補正は、放射線画像撮影装置２で行ってもよい。
また、処理プログラムに、一度取得した処理プログラムをブラウザ内にキャッシュしたり、バージョンが異なる場合のみ処理プログラムを再取得したりする処理を含めるようにしてもよい。このようにすれば、同じ画像処理を行う場合に、処理プログラムの受信の必要がなくなるので、表示の迅速化の観点から好ましい。
【００４０】
また、処理プログラムに、処理の重要度や処理コストに応じて、実行する画像処理を一部省略する、もしくは一部の処理の実行を放射線画像撮影装置２に差し戻す処理を含めるようにしてもよい。このようにすれば、携帯端末３の制御部３１に過度の負担がかかるのを防ぐことができる。
また、処理プログラムに、ブラウザ終了あるいは撮影終了の操作に基づいて、記憶部３３に記憶されている画像データやパラメーターを消去する処理を含めるようにしてもよい。このようにすれば、撮影終了後は、携帯端末３に患者の個人情報が残らなくなるので、セキュリティの観点から好ましい。
【００４１】
〔放射線画像撮影システムの動作〕
次に、放射線画像撮影システム１００の動作について、コンソール４を併用する場合を例に説明する。図５は放射線画像撮影システム１００を用いた放射線画像撮影から表示までの流れを表すラダーチャートである。
【００４２】
図５に示したように、まず、ユーザーが、放射線画像撮影装置２をコンソール４に接続し（クレードルにセットし）、コンソール４に撮影オーダー情報を選択する操作を行うと（ステップＳ１）、コンソール４が選択された撮影オーダー情報に対応する基準撮影条件を取得し（ステップＳ２）、選択された撮影オーダー情報を取得した基準撮影条件とともに放射線画像撮影装置２へ送信する（ステップＳ３）。
なお、このステップＳ２においては、放射線画像撮影装置２とコンソール４との間でＮＦＣ等による通信を行うことにより、オーダー情報を放射線画像撮影装置２に取り込むようにしてもよい。
【００４３】
その後、ユーザーが、携帯端末３の操作部３５を介して検査の開始を指示すると（ステップＳ４）、携帯端末３が放射線画像撮影装置２に撮影オーダー情報を要求する信号を送信する（ステップＳ５）。そして、放射線画像撮影装置２が撮影オーダー情報及び対応する基準撮影条件を携帯端末３へ送信する（ステップＳ６）。そして、携帯端末３が撮影オーダー情報及び基準撮影条件を含むメイン画面Ｍ（図４（ａ）参照）を表示部３４に表示する（ステップＳ７）。
なお、メイン画面Ｍをブラウザで表示する場合には、ステップＳ４の後、ステップＳ５において、携帯端末３が放射線画像撮影装置２にメイン画面Ｍのウェブページを要求する信号を送信する。そして、放射線画像撮影装置２が撮影オーダー情報に基づいてウェブページを作成し、ステップＳ６において、それを携帯端末３へ送信することで、メイン画面Ｍの表示が開始される。
【００４４】
その後、ユーザーが、基準撮影条件で撮影を行うことが適切であると判断した場合には、ユーザーは、携帯端末３の操作部３５を操作して、基準撮影条件の設定を指示する（ステップＳ８）。すると、携帯端末３が基準撮影条件を放射線照射装置１へ送信する（ステップＳ９）。その後、放射線照射装置１が基準撮影条件を受信すると、撮影条件を基準撮影条件に設定する（ステップＳ１０）。
なお、ステップ７の後、ユーザーが基準撮影条件で撮影を行うことが不適切であると判断した場合には、ユーザーは、ステップＳ８において、携帯端末３の操作部３５を操作して、撮影条件を基準撮影条件から変更する（例えば、図４に示したように、ｍＡｓ値を３．０から５．０に増加させる）。すると、ステップＳ９において、携帯端末３が変更された撮影条件を放射線照射装置１へ送信する。
【００４５】
ステップＳ８の後、ユーザーが撮影操作、すなわち曝射スイッチを押下する（ステップＳ１１）。すると、放射線照射装置１が患者（放射線画像撮影装置２）へ放射線を照射し（ステップＳ１２）、放射線画像撮影装置２が撮影（画像データの生成）を行い（ステップＳ１３）、画像データを記憶部３３に記憶する（ステップＳ１４）。そして、放射線画像撮影装置２が画像データを携帯端末３へ送信する（ステップＳ１５）。なお、放射線画像撮影装置２が画像処理機能を備えている場合には、ステップＳ１５に前後又は並行して画像処理を行う。
【００４６】
その後、携帯端末３が画像データを受信すると、画像データに基づく放射線画像を表示部３４に表示する（ステップＳ１６）。
なお、携帯端末３が画像処理機能を備えている場合には、ステップＳ１４の前に、放射線画像撮影装置２から受信した画像データに所定の画像処理を施す。
【００４７】
その後、ユーザーが照射結果、すなわち、ステップＳ１１を行った後の実際の撮影条件を携帯端末３に入力すると（ステップＳ１７）、携帯端末３が、照射結果を放射線画像撮影装置２へ送信する（ステップＳ１８）。なお、携帯端末３が画像データの消去機能を備えている場合には、ステップＳ１８の後に、記憶部３３に記憶されていた画像データを消去する。このようにしても、画像データが放射線画像撮影装置２に残されているので、ここで、ユーザーから再び放射線画像の表示を指示されても、迅速に画像を表示することができる。
【００４８】
その後、放射線画像撮影装置２が照射結果を受信すると、その照射結果を、対応する画像データと紐づけて記憶する（ステップＳ１９）。撮影後、ユーザーが放射線画像撮影装置２を専用の装置（クレードル）にセットすると、放射線画像撮影装置２が記憶している画像データ及び対応する照射結果をコンソール４へ送信する（ステップＳ２０）。
なお、ここでは、放射線画像撮影装置２からコンソール４へのデータを送信することとしたが、携帯端末３からコンソール４へ各種画像データを送信する構成としてもよい。
また、放射線画像撮影装置２とコンソール４との間でＮＦＣ等による通信を行うことにより、各種画像データをコンソール４に取り込むようにしてもよい。
その後、コンソール４が画像データ及び照射結果を受信すると、受信した画像データ及び照射結果を記憶し（ステップＳ２１）、外部装置（コンソール４やＰＡＣＳ等）へ出力する（ステップＳ２２）。こうして、一連の撮影が終了する。
【００４９】
外部装置へ出力された照射結果は、次に、同じ患者を撮影する際の基準撮影条件として記憶される。すなわち、今回の設定が次回の撮影にフィードバックされる。放射線画像撮影装置２に取り込んだ照射結果は、放射線画像撮影装置２に保持したままとしてもよいが、上述したように、照射結果を一度コンソール４に出力して放射線画像撮影装置２を空け、次回の撮影を行う際に再度放射線画像撮影装置２に取り込むようにすることで、次回の撮影で同じ放射線画像撮影装置２を用いなければならないという制約を無くすことができる。
【００５０】
（変形例）
なお、携帯端末３として、撮影機能（カメラ）を有したものを用いる場合には、放射線照射装置１の操作部を撮影し、それによって得られた操作部の光学画像から、撮影条件を認識できるように構成してもよい。具体的には、例えば、光学画像に映っているパターンと、予め記憶部に格納されているテンプレートとを重ね合わせ、一致する部分が多いテンプレートの文字とみなす方法や、文字を複数の線に分割し、各線の特徴等から絞り込む方法等、従来の光学文字認識技術を用いることができる。
【００５１】
認識した撮影条件は、表示部３４に表示することができる。この場合、携帯端末３は、本発明における光学画像撮影手段及び条件認識手段をなすこととなる。
光学画像から照射条件を認識する機能は、放射線画像撮影装置２に持たせるようにしてもよい。この場合、携帯端末３が有する光学画像の画像データを放射線画像撮影装置２へ送信し、放射線画像撮影装置２が認識した撮影条件を受信して、表示部３４に表示することとなる。
【００５２】
この場合の放射線画像撮影から表示までの流れは、図６に示したようになる。具体的には、ステップＳ１〜ステップＳ１３までの流れは上記実施形態（図５）と同様である。ステップ１３の後、すなわち、ステップＳ１４〜ステップＳ１６と並行又は前後して、本変形例の放射線画像撮影装置２は、放射線が照射された旨の通知を携帯端末３へ送信する（ステップＳ１３ａ）。その後、携帯端末３が通知を受信すると、携帯端末３が自身のカメラを用いて放射線照射装置１の操作部を光学撮影し（ステップＳ１７ａ）、撮影された操作部の光学画像から照射結果を認識する（ステップＳ１７ｂ）。そして、認識した照射結果を表示し（ステップＳ１７ｃ）、ステップＳ１８へ進む。ステップＳ１８以降の流れも上記実施形態と同様である。
このようにすることで、放射線照射装置１に対して手動で行われた照射条件の変更を、直ちに携帯端末３に反映させることができる。
【００５３】
以上のように、本実施形態の放射線画像撮影システム１００の放射線画像撮影装置２は、放射線を受けることで放射線の線量に応じた量の電荷を発生させる複数の放射線検知素子が二次元状に配列された基板を有する放射線検出部２２と、複数の放射線検知素子がそれぞれ発生させた電荷量を信号値として読み出し、各信号値に基づいて画像データを生成する読み出し部２３と、被写体の撮影方法に関する撮影オーダー情報及び撮影条件を決定するための基準撮影条件を記憶する記憶部２５と、携帯端末３（外部端末）へオーダー情報を送信可能に構成されるとともに、携帯端末３へ基準撮影条件を送信することが可能な通信手段と、を備える。
【００５４】
こうすることで、撮影時に放射線画像撮影装置２から基準撮影条件が通信ネットワークを介さなくても携帯端末３へ送信され、それが携帯端末３で表示される。また、放射線の照射結果（手動で変更した撮影条件）が放射線照射装置１または携帯端末３から放射線画像撮影装置２へ送信され、画像データ及び撮影オーダー情報と紐付けて保存される。これにより、次回以降の同一患者の撮影において、前回と同じ照射条件を撮影者に提示することが可能となる。
その結果、通信ネットワークから切り離された環境下であっても、放射線の照射条件を効率良く設定することができる。
【符号の説明】
【００５５】
１００  放射線画像撮影システム
１  放射線照射装置
１１  ジェネレーター
１２  放射線源
１３  操作卓
２  放射線画像撮影装置
２１  制御部
２２  放射線検出部
２３  読み出し部
２４  通信部
２５  記憶部
２６  バス
３  携帯端末（外部端末）
３１  制御部（通信手段、通知手段）
３２  通信部（通信手段、通知手段）
３３  記憶部
３４  表示部
３５  操作部
３６  バス
４  コンソール
Ｘ  放射線
【図１】
2019017627.tif 000003
【図２】
2019017627.tif 000004
【図３】
2019017627.tif 000005
【図４】
2019017627.tif 000006
【図５】
2019017627.tif 000007
【図６】
2019017627.tif 000008